(57)【要約】【課題】起立させるための物体を取り外したり差し替えたりすることが容易でありながら、移動させることも容易に行うことができるスタンドを提供すること。【解決手段】折り曲げて形成される一対の挟持部と、前記一対の挟持部を折り曲げた状態で保持する保持部とを有するスタンドであって、前記一対の挟持部が前記保持部で保持されている状態で前記一対の挟持部が相互に反力を及ぼし合い、かつ前記一対の挟持部同士の間に物体が介在する隙間が形成され、物体が前記隙間に介在された状態で前記反力が前記物体に作用して前記物体を起立させることを特徴とするスタンド。【選択図】図１
0003170192.tif 000002
【実用新案登録請求の範囲】
【請求項１】
折り曲げて形成される一対の挟持部と、前記一対の挟持部を折り曲げた状態で保持する保持部とを有するスタンドであって、前記一対の挟持部が前記保持部で保持されている状態で前記一対の挟持部が相互に反力を及ぼし合い、かつ前記一対の挟持部同士の間に物体が介在する隙間が形成され、物体が前記隙間に介在された状態で前記反力が前記物体に作用して前記物体を起立させることを特徴とするスタンド。
【請求項２】
前記保持部は組み立て後に底面となる面から立ち上がり、前記保持部または前記一対の挟持部の少なくとも一方は、前記保持部が前記底面から立ち上がった状態で前記一対の挟持部を保持する切り込み部を有することを特徴とする請求項１に記載のスタンド。
【請求項３】
前記切り込み部は前記保持部に形成され、前記切り込み部の切り込み角度を傾斜させることによって、物体を傾斜させて起立させることができる請求項２に記載のスタンド。
【請求項４】
起立させる物体の厚みにあわせて前記切り込み部の幅を決定する請求項３に記載のスタンド。
【請求項５】
一枚のシートを折り曲げて組み立てられることを特徴とする請求項１〜４のいずれか一項に記載のスタンド。
【考案の詳細な説明】
【技術分野】
【０００１】  本考案は、カレンダー、メモ、カード、写真、広告物、携帯端末、ディスプレイ装置などの表示物や、展示物、ＣＤ・ＭＤ・ＤＶＤなどのメディア及びそのケースなどを、平易な構造で起立させるためのスタンドに関するものである。
【背景技術】
【０００２】  従来の表示物を起立させるためのスタンドにおいて、起立させるための物体を立てかけるための機構を背面に具備して起立させるスタンドは存在する（下記特許文献１参照）。
【先行技術文献】
【特許文献】
【０００３】
【特許文献１】特開２００８−２６５０３９号公報
【考案の概要】
【考案が解決しようとする課題】
【０００４】  上記特許文献１に記載されたカレンダー立ては上記文献の［００２５］によると、カード片（Ｃ）は脚板部（７ａ、７ｂ）の辺の持つ傾斜によって後斜して立て掛けられ、前板部（５）と後板部（４）で形成されるカード片押え部で保持される、とある。すなわち、起立させるための物体を脚板部（７ａ、７ｂ）に後斜して立て掛け、前板部（５）と後板部（４）で形成されるカード片押え部で保持しているため、起立させるための物体を取り外したり差し替えたりすることが容易であるが、その反面、脚板部（７ａ、７ｂ）と前板部（５）と後板部（４）で形成されるカード片押え部とで物体を挟んだり押さえつけたりする力を有していないため、移動させる際には水平を保ちながら移動させるか、スタンドと起立させるための物体が離れないように補助しながら移動させるか、スタンドと起立させるための物体を別々に移動させる必要がある、という欠点がある。【０００５】  そこで本考案は、上記欠点を解決するために、起立させるための物体を取り外したり差し替えたりすることが容易でありながら、移動させることも容易に行うことができるスタンドを提供することを目的とする。
【課題を解決するための手段】
【０００６】  本考案は、折り曲げて形成される一対の挟持部と、前記一対の挟持部を折り曲げた状態で保持する保持部とを有するスタンドであって、前記一対の挟持部が前記保持部で保持されている状態で前記一対の挟持部が相互に反力を及ぼし合い、かつ前記一対の挟持部同士の間に物体が介在する隙間が形成され、物体が前記隙間に介在された状態で前記反力が前記物体に作用して前記物体を起立させることを特徴とする。【０００７】  前記保持部は組み立て後に底面となる面から立ち上がり、前記保持部または前記一対の挟持部の少なくとも一方は、前記保持部が前記底面から立ち上がった状態で前記一対の挟持部を保持する切り込み部を有することが望ましい。【０００８】  前記切り込み部は前記保持部に形成され、前記切り込み部の切り込み角度を傾斜させることによって、物体を傾斜させて起立させることができることが望ましい。【０００９】  起立させる物体の厚みにあわせて保持部側切り込み部の幅を決定することによって、起立させる物体を安定して保持することができるようにすることが望ましい。【００１０】  一枚のシートを折り曲げて組み立てられることが望ましい。
【考案の効果】
【００１１】  本考案のスタンドによれば、挟持部からの反力を挟む力として利用して物体を起立させているので、物体またはスタンドのどこか１カ所を持つだけで移動させることができる。物体を差し替える場合は、反力以上の力で物体を引き抜くことによって物体を挟持部から分離させることができる。
【図面の簡単な説明】
【００１２】
【図１】図１は本考案の実施形態のスタンドを示した組み立て前の平面図である。
【図２】図２は本考案の実施形態のスタンドを示した組み立て途中の斜視図である。
【図３】図３は本考案の実施形態のスタンドを示した組み立て後の斜視図である。
【図４】図４は本考案の実施形態のスタンドを示した組み立て後の断面図である。
【図５】図５は本考案の実施形態のスタンドを示した組み立て後に起立させる物体（２１）を差し込んだ例の斜視図である。
【考案を実施するための形態】
【００１３】  以下、本考案を実施するための形態について説明する。
【００１４】  組み立て前は、挟持部（１５）、（１６）と切り込み加工された保持部（１７）、（１８）と底面（２０）を有する。
挟持部（１５）は、挟持部側切り込み部（９）（１０）を有する。
挟持部（１６）は、挟持部側切り込み部（１１）（１２）を有する。
底面（２０）は、保持部（１７）（１８）を有する。
保持部（１７）は、切り込み加工された３辺（１７ａ）と筋押し加工された１辺（７）と打ち抜き加工された保持部側切り込み部（１３）を有する。
保持部（１８）は、切り込み加工された３辺（１８ａ）と筋押し加工された１辺（８）と打ち抜き加工された保持部側切り込み部（１４）を有する。
【００１５】  以下にスタンドを組み立てる手順を説明する。
谷折り線（１）〜（８）をすべて谷折りする。筋押し加工された１辺（７）（８）は前記谷折り線に含まれる。
続いて、保持部（１７）（１８）が底面（２０）から立ち上がった状態で、挟持部側切り込み部（９）と保持部側切り込み部（１３）とを噛み合わせるとともに、挟持部側切り込み部（１０）と保持部側切り込み部（１４）とを噛み合わせる。
同様に、挟持部側切り込み部（１１）と保持部側切り込み部（１３）とを噛み合わせるとともに、挟持部側切り込み部（１２）と保持部側切り込み部（１４）とを噛み合わせる。
以上が組み立てた状態にする手順の説明である。
【００１６】  図４に示すように、前記挟持部（１５）と前記挟持部（１６）との間に物体を差し込むための隙間（１９）を有しながら、前記挟持部（１５）と前記挟持部（１６）とが相互に反力を及ぼし合っている。
図５で示すように起立させるための物体（２１）を差し込んだ状態では、前記挟持部（１５）と前記挟持部（１６）が前記起立させるための物体に前記反力を及ぼしている。
【００１７】  前記挟持部側切り込み部（９）（１０）（１１）（１２）と前記保持部側切り込み部（１３）（１４）を噛み合わせることによって、前記挟持部が安定して保持された状態を保つことができるため、前記挟持部側切り込み部と前記保持部側切り込み部の両方があったほうが望ましいが、前記切り込み部は前記保持部または前記一対の挟持部の少なくとも一方にあれば良い。
【００１８】  保持部側切り込み部（１３）（１４）の切り込み角度は直角でも良いが、角度を変えることによって前記起立させる物体を傾斜させて起立させることができるため、傾斜させたい角度に合わせて前記切り込み角度を決定して良い。
【００１９】  また、切り込み部の幅は、前記起立させる物体の最大幅に合わせることによって、前記起立させる物体をより安定して保持することができるため、前記起立させる物体の最大幅に合わせて決定して良い。
【００２０】  このスタンドは、打ち抜き加工と切り抜き加工と筋押し加工がされた一枚のシートにから制作できるスタンドであるが、すべての加工をミシン目加工に変更しても良い。
【００２１】  実勢形態の作用効果として、起立させるための物体を立てかけるために必要な機構を背面に持つ必要がないためスタンド容積を少なく抑えられる点、展開図を単純にできるため原材料を無駄なく利用することができる点、単純な構造のためすっきりとしたデザインを実現できる点、一枚のシートを折り曲げて組み立てられるため部品点数を少なくできる点、またサイズや材料を変えることによって様々な起立させる物体に対応することができる点などが挙げられる。
【符号の説明】
【００２２】  １〜８…谷折り線
９〜１２…挟持部側切り込み部
１３、１４…保持部側切り込み部
１５、１６…挟持部
１７、１８…保持部
１７（ａ）、１８（ｂ）…切り込み加工された３辺
１９…物体を差し込むための隙間
２０…底面
２１…起立させる物体
【図１】
0003170192.tif 000003
【図２】
0003170192.tif 000004
【図３】
0003170192.tif 000005
【図４】
0003170192.tif 000006
【図５】
0003170192.tif 000007